(57)【要約】  【課題】  光ディスクの読み込みでセクタ読み込みを連続で失敗してタイトル／トラック終了地点まで来た時、次タイトル／トラックを続けて読み込むか、停止させてしまうかをユーザに判定させる機能を有する光ディスク再生装置を提供する。  【解決手段】  セクタ数をジャンプした地点がタイトルまたはトラックの終了地点であると判定された場合に、読み込みのエラーが続いている事、および次遷移先でも読み込みエラーが起こる可能性が高い事、ならびに再生／停止の選択肢を示した警告画面が、ディスプレイ装置に表示される。また、読み込みエラーが起きた時点で、エラーが発生した旨、および飛ばしセクタ数を示した警告画面が、ディスプレイ装置に表示される。したがって、再生しようとする当該光ディスクは傷や汚れが大きい可能性をユーザに示唆することができる。【選択図】      図３
2006147095.tif 000002
【特許請求の範囲】
【請求項１】
光ディスクに記録した情報を再生する光ディスク再生装置において、光ディスクを再生
している時に読み込みエラーが発生したか否かを判定する第１の読み込みエラー判定手段
と、前記読み込みエラーが発生したと判定された場合に前セクタでも読み込みエラーが発
生していたか否かを判定する第２の読み込みエラー判定手段と、前記前セクタでも読み込
みエラーが発生していたと判定された場合に連続エラーのカウント値をインクリメントす
るインクリメント手段と、飛ばしセクタ数に前記カウント値を掛けた値の分のセクタ数を
ジャンプするジャンプ手段と、前記セクタ数をジャンプした地点がタイトルまたはトラッ
クの終了地点であるか否かを判定する終了地点判定手段と、前記セクタ数をジャンプした
地点がタイトルまたはトラックの終了地点であると判定された場合に、読み込みのエラー
が続いている事、次遷移先でも読み込みエラーが起こる可能性が高い事、および再生／停
止の選択肢を含む内容を示した警告画面をディスプレイ装置に表示させる第１の警告画面
表示手段と、前記読み込みエラーが起きた時点でエラーが発生した旨、および飛ばしセク
タ数を含む内容を示した警告画面を前記ディスプレイ装置に表示させる第２の警告画面表
示手段とを有するシステムコントローラを備えたことを特徴とする光ディスク再生装置。
【請求項２】
光ディスクに記録した情報を再生する光ディスク再生装置において、セクタ数をジャン
プした地点がタイトルまたはトラックの終了地点であると判定された場合に、読み込みの
エラーが続いている事、次遷移先でも読み込みエラーが起こる可能性が高い事、および再
生／停止の選択肢を含む内容を示した警告画面をディスプレイ装置に表示させる第１の警
告画面表示手段と、読み込みエラーが起きた時点で、エラーが発生した旨、および飛ばし
セクタ数を含む内容を示した警告画面を前記ディスプレイ装置に表示させる第２の警告画
面表示手段とを有するシステムコントローラを備えたことを特徴とする光ディスク再生装
置。
【請求項３】
前記システムコントローラは、光ディスクを再生している時に読み込みエラーが発生し
たか否かを判定する第１の読み込みエラー判定手段と、前記読み込みエラーが発生したと
判定された場合に前セクタでも読み込みエラーが発生していたか否かを判定する第２の読
み込みエラー判定手段と、前記前セクタでも読み込みエラーが発生していたと判定された
場合に連続エラーのカウント値をインクリメントするインクリメント手段と、飛ばしセク
タ数に前記カウント値を掛けた値の分のセクタ数をジャンプするジャンプ手段と、前記セ
クタ数をジャンプした地点がタイトルまたはトラックの終了地点であるか否かを判定する
終了地点判定手段とを有することを特徴とする請求項２に記載の光ディスク再生装置。
【発明の詳細な説明】
【技術分野】
【０００１】
本発明は、光ディスクに記録された情報を再生する光ディスク再生装置に関し、特に、
再生時に読み込みエラーが発生したときに警告画面を表示する機能を有する光ディスク再
生装置に関する。
【背景技術】
【０００２】
従来から光ディスク再生装置では、光ディスクに記録された情報を再生している時に、
光ディスクの傷や汚れによって読み込みエラーが発生して、読み込みが連続して失敗する
と、セクタを飛ばすが、飛ばして行くセクタ数を段々大きく取ってセクタを飛ばして行く
ような処理がなされている。
【特許文献１】特開２００２−１５７７３５号公報
【特許文献２】特開平１１−２３２８００号公報
【特許文献３】特開２００１−３３２０３７号公報
【特許文献４】特開２００１−１８４６３８号公報
【発明の開示】
【発明が解決しようとする課題】
【０００３】
即ち、従来の光ディスク再生装置では、光ディスクに大きな傷や汚れがあって連続して
読み込みを失敗しているとき、傷や汚れ箇所を数セクタ飛ばして読み込みを続けさせる。
読み込みが連続して失敗していれば、飛ばしセクタ数を段々大きくして行く。これが、大
変大きな傷や汚れであった場合、セクタの飛ばしによって、ＤＶＤ（デジタル・バーサタ
イル・ディスク）の場合はタイトルの終了地点、ＣＤ（コンパクト・ディスク）の場合は
トラックの終了地点まで来ても、次のタイトル／トラックで未だ傷が続いている可能性が
高く、また、セクタ飛ばしを続けてしまって全くメディア再生ができない時間が続くこと
になる。このような状態であった場合、ユーザは、なぜ読み込みができないのかが分から
ないまま何回も再生操作を繰り返したりしていることがある。
【０００４】
なお、特許文献１の従来技術は、ＣＤ−ＲＷが劣化していたら警告を行い、ユーザはそ
の警告に従って記録を進めるか、中止するかを決めるようにしたものであり、再生時の読
み込みエラーが発生したときの処理に関しては開示されていない。
【０００５】
特許文献２の従来技術は、光ディスクに情報を記録する際に欠陥セクタが有れば、代替
のセクタを用意して、その代替のセクタに記録するようにしているが、この従来技術も、
再生時の読み込みエラーが発生したときの処理に関しては開示されていない。
【０００６】
特許文献３の従来技術は、データの記録に先立ち、ＭＤ上の傷の有無を判断し、ユーザ
に通知するようにしたものであり、この従来技術も、再生時の読み込みエラーが発生した
ときの処理に関しては開示されていない。
【０００７】
特許文献４の従来技術は、欠陥セクタ数をカウントして所定数以上になると警告を発生
させ、欠陥セクタ数をユーザに認識させることができるようにしたものであるが、セクタ
を飛ばして行ってタイトル／トラックの切れ目に来たときに警告を出し、次のタイトル／
トラックでも読み込みエラーが続いている可能性があると言うことを示唆することは開示
されていない。
【０００８】
本発明は、上記のような課題を解決するためになされたもので、光ディスクの読み込み
でセクタ読み込みを連続で失敗してタイトル／トラック終了地点まで来た時、次タイトル
／トラックを続けて読み込むか、停止させてしまうかをユーザに判定させる機能を有する
光ディスク再生装置を提供することを目的とする。
【課題を解決するための手段】
【０００９】
上記目的を達成するために、請求項１の発明は、光ディスクを再生している時に読み込
みエラーが発生したか否かを判定する第１の読み込みエラー判定手段と、前記読み込みエ
ラーが発生したと判定された場合に前セクタでも読み込みエラーが発生していたか否かを
判定する第２の読み込みエラー判定手段と、前記前セクタでも読み込みエラーが発生して
いたと判定された場合に連続エラーのカウント値をインクリメントするインクリメント手
段と、飛ばしセクタ数に前記カウント値を掛けた値の分のセクタ数をジャンプするジャン
プ手段と、前記セクタ数をジャンプした地点がタイトルまたはトラックの終了地点である
か否かを判定する終了地点判定手段と、前記セクタ数をジャンプした地点がタイトルまた
はトラックの終了地点であると判定された場合に、読み込みのエラーが続いている事、次
遷移先でも読み込みエラーが起こる可能性が高い事、および再生／停止の選択肢を含む内
容を示した警告画面をディスプレイ装置に表示させる第１の警告画面表示手段と、前記読
み込みエラーが起きた時点でエラーが発生した旨、および飛ばしセクタ数を含む内容を示
した警告画面を前記ディスプレイ装置に表示させる第２の警告画面表示手段とを有するシ
ステムコントローラを備えたことを特徴とする光ディスク再生装置を提供する。
【００１０】
この構成において、光ディスクを再生している時に、読み込みエラーが発生したと第１
の読み込みエラー判定手段により判定され、且つ、前セクタでも読み込みエラーが発生し
ていたと第２の読み込みエラー判定手段により判定された場合に、連続エラーのカウント
値はインクリメント手段によりインクリメントされる。そして、飛ばしセクタ数に前記カ
ウント値を掛けた値の分のセクタ数がジャンプ手段によりジャンプされる。
【００１１】
前記セクタ数をジャンプした地点がタイトルまたはトラックの終了地点であると終了地
点判定手段により判定された場合に、読み込みのエラーが続いている事、および次遷移先
でも読み込みエラーが起こる可能性が高い事、ならびに再生／停止の選択肢を含む内容を
示した警告画面が第１の警告画面表示手段によりディスプレイ装置に表示される。また、
前記読み込みエラーが起きた時点で、エラーが発生した旨、および飛ばしセクタ数を含む
内容を示した警告画面が第２の警告画面表示手段により表示される。
【００１２】
この構成によれば、光ディスクの読み込みでセクタ読み込みを連続で失敗してタイトル
／トラック終了地点まで来た時、次タイトル／トラックを続けて読み込むか、停止させて
しまうかをユーザに判定させることが可能になる。即ち、再生しようとする当該光ディス
クは傷や汚れが大きい可能性をユーザに示唆し、それでも再生を続けるか停止させるか判
定させることで、エラー処理動作を選択させることが可能になり、ユーザにとっては使い
勝手が良くなる。
【００１３】
請求項２の発明は、セクタ数をジャンプした地点がタイトルまたはトラックの終了地点
であると判定された場合に、読み込みのエラーが続いている事、次遷移先でも読み込みエ
ラーが起こる可能性が高い事、および再生／停止の選択肢を含む内容を示した警告画面を
ディスプレイ装置に表示させる第１の警告画面表示手段と、読み込みエラーが起きた時点
でエラーが発生した旨、および飛ばしセクタ数を含む内容を示した警告画面を前記ディス
プレイ装置に表示させる第２の警告画面表示手段とを有するシステムコントローラを備え
たことを特徴とする光ディスク再生装置を提供する。
【００１４】
この構成において、セクタ数をジャンプした地点がタイトルまたはトラックの終了地点
であると判定された場合に、読み込みのエラーが続いている事、次遷移先でも読み込みエ
ラーが起こる可能性が高い事、および再生／停止の選択肢を含む内容を示した警告画面が
、第１の警告画面表示手段によりディスプレイ装置に表示される。また、読み込みエラー
が起きた時点で、エラーが発生した旨、および飛ばしセクタ数を含む内容を示した警告画
面が、第２の警告画面表示手段によりディスプレイ装置に表示される。
【００１５】
この構成によれば、光ディスクの読み込みでセクタ読み込みを連続で失敗してタイトル
／トラック終了地点まで来た時、次タイトル／トラックを続けて読み込むか、停止させて
しまうかをユーザに判定させることが可能になる。即ち、再生しようとする当該光ディス
クは傷や汚れが大きい可能性をユーザに示唆し、それでも再生を続けるか停止させるか判
定させることで、エラー処理動作を選択させることが可能になり、ユーザにとっては使い
勝手が良くなる。
【００１６】
請求項３の発明では、請求項２の発明において、前記システムコントローラは、光ディ
スクを再生している時に読み込みエラーが発生したか否かを判定する第１の読み込みエラ
ー判定手段と、前記読み込みエラーが発生したと判定された場合に前セクタでも読み込み
エラーが発生していたか否かを判定する第２の読み込みエラー判定手段と、前記前セクタ
でも読み込みエラーが発生していたと判定された場合に連続エラーのカウント値をインク
リメントするインクリメント手段と、飛ばしセクタ数に前記カウント値を掛けた値の分の
セクタ数をジャンプするジャンプ手段と、前記セクタ数をジャンプした地点がタイトルま
たはトラックの終了地点であるか否かを判定する終了地点判定手段とを有するので、前記
第１の警告画面表示手段による警告画面の表示、および前記第２の警告画面表示手段によ
る警告画面の表示を行うための前段の処理が実現できる。
【発明の効果】
【００１７】
以上のように本発明によれば、光ディスクを再生している時に読み込みエラーが発生し
たか否かを判定する第１の読み込みエラー判定手段と、前記読み込みエラーが発生したと
判定された場合に前セクタでも読み込みエラーが発生していたか否かを判定する第２の読
み込みエラー判定手段と、前記前セクタでも読み込みエラーが発生していたと判定された
場合に連続エラーのカウント値をインクリメントするインクリメント手段と、飛ばしセク
タ数に前記カウント値を掛けた値の分のセクタ数をジャンプするジャンプ手段と、前記セ
クタ数をジャンプした地点がタイトルまたはトラックの終了地点であるか否かを判定する
終了地点判定手段と、前記セクタ数をジャンプした地点がタイトルまたはトラックの終了
地点であると判定された場合に、読み込みのエラーが続いている事、次遷移先でも読み込
みエラーが起こる可能性が高い事、および再生／停止の選択肢を含む内容を示した警告画
面をディスプレイ装置に表示させる第１の警告画面表示手段と、前記読み込みエラーが起
きた時点でエラーが発生した旨、および飛ばしセクタ数を含む内容を示した警告画面を前
記ディスプレイ装置に表示させる第２の警告画面表示手段とを有するシステムコントロー
ラを備えたので、光ディスクの読み込みでセクタ読み込みを連続で失敗してタイトル／ト
ラック終了地点まで来た時、次タイトル／トラックを続けて読み込むか、停止させてしま
うかをユーザに判定させることが可能になる。即ち、再生しようとする当該光ディスクは
傷や汚れが大きい可能性をユーザに示唆し、それでも再生を続けるか停止させるか判定さ
せることで、エラー処理動作を選択させることが可能になり、ユーザにとっては使い勝手
が良くなる。
【００１８】
また、本発明によれば、セクタ数をジャンプした地点がタイトルまたはトラックの終了
地点であると判定された場合に、読み込みのエラーが続いている事、次遷移先でも読み込
みエラーが起こる可能性が高い事、および再生／停止の選択肢を含む内容を示した警告画
面をディスプレイ装置に表示させる第１の警告画面表示手段と、読み込みエラーが起きた
時点でエラーが発生した旨、および飛ばしセクタ数を含む内容を示した警告画面を前記デ
ィスプレイ装置に表示させる第２の警告画面表示手段とを有するシステムコントローラを
備えたので、光ディスクの読み込みでセクタ読み込みを連続で失敗してタイトル／トラッ
ク終了地点まで来た時、次タイトル／トラックを続けて読み込むか、停止させてしまうか
をユーザに判定させることが可能になる。即ち、再生しようとする当該光ディスクは傷や
汚れが大きい可能性をユーザに示唆し、それでも再生を続けるか停止させるか判定させる
ことで、エラー処理動作を選択させることが可能になり、ユーザにとっては使い勝手が良
くなる。
【発明を実施するための最良の形態】
【００１９】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２０】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとサブピクチャデータとビデオデータとを分離
するストリーム分離部９とを備えている。
【００２１】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたサブピクチャデータを入力して所定のデコード処理を行うサ
ブピクチャデコーダ１３と、このサブピクチャデコーダ１３でのデコード処理を行うため
にデータを一時的に格納するＲＡＭ１２と、ストリーム分離部９から出力されたビデオデ
ータを入力して所定のデコード処理を行うビデオデコーダ１５と、このビデオデコーダ１
５でのデコード処理を行うためにデータを一時的に格納するＲＡＭ１４とを備えている。
このビデオデコーダ１５でのデコード処理を行うためにデータを一時的に格納すると共に
静止画データを格納するＲＡＭ１４とを備えている。
【００２２】
また、この光ディスク再生装置は、システムコントローラ２２の指示に応じてビデオデ
コーダ１５から出力されたデータとサブピクチャデコーダ１３から出力されたデータとを
合成するビデオプロセッサ１７と、このビデオプロセッサ１７から出力された合成データ
を表示用のビデオ信号に変換して静止画などをディスプレイ装置２０に表示させるビデオ
エンコーダ１８と、オーディオデコーダ１１から出力されたデータをアナログのオーディ
オ信号に変換して例えばスピーカ１９に供給するＤ／Ａ変換器１６とを備えている。
【００２３】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２４】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。
【００２５】
システムコントローラ２２は、本実施形態の特徴とする構成要素として、光ディスク１
を再生している時に読み込みエラーが発生したか否かを判定する第１の読み込みエラー判
定手段２２１と、前記読み込みエラーが発生したと判定された場合に前セクタでも読み込
みエラーが発生していたか否かを判定する第２の読み込みエラー判定手段２２２と、前記
前セクタでも読み込みエラーが発生していたと判定された場合に連続エラーのカウント値
をインクリメントするインクリメント手段２２３と、飛ばしセクタ数に前記カウント値を
掛けた値の分のセクタ数をジャンプするジャンプ手段２２４と、前記セクタ数をジャンプ
した地点がタイトルまたはトラックの終了地点であるか否かを判定する終了地点判定手段
２２５と、前記セクタ数をジャンプした地点がタイトルまたはトラックの終了地点である
と判定された場合に、読み込みのエラーが続いている事、次遷移先でも読み込みエラーが
起こる可能性が高い事、および再生／停止の選択肢を含む内容を示した警告画面をディス
プレイ装置２０に表示させる第１の警告画面表示手段２２６と、前記読み込みエラーが起
きた時点でエラーが発生した旨、および飛ばしセクタ数を含む内容を示した警告画面をデ
ィスプレイ装置２０に表示させる第２の警告画面表示手段２２７とを有する。
【００２６】
図２は本実施形態において読み込みエラー発生時の処理を説明するためのフローチャー
トである。このフローチャートを参照して本実施形態において読み込みエラー発生時の処
理について説明する。
【００２７】
この光ディスク再生装置に光ディスク１が装填され、この光ディスク１に対する再生が
開始し、再生している時に、システムコントローラ２２の第１の読み込みエラー判定手段
２２１は、読み込みエラーが発生したか否かを判定する（ステップＳ１）。即ち、読み込
みエラー判定手段２２１は、デジタル信号処理部８からのセクタ毎のデータが正常である
かどうかを検出することによって読み込みエラーが発生したか否かを判定する。
【００２８】
そして、読み込みエラーが発生したと判定された場合に、第２の読み込みエラー判定手
段２２２は、前セクタでも読み込みエラーが発生していたか否かを判定する（ステップＳ
２）。前セクタでも読み込みエラーが発生していたと判定された場合に、インクリメント
手段２２３は、連続エラーのカウント値をインクリメント（＋１）する（ステップＳ３）
。
【００２９】
次に、ジャンプ手段２２４は、サーボ制御部４およびスレッド３を介して光ピックアッ
プ２を移動させ、飛ばしセクタ数に前記カウント値を掛けた値の分のセクタ数をジャンプ
させる（ステップＳ４）。そして、終了地点判定手段２２５は、前記セクタ数をジャンプ
した地点がタイトルまたはトラックの終了地点であるか否かを判定する（ステップＳ５）
。なお、前記タイトルは光ディスクがＤＶＤ系である場合のタイトルを示し、前記トラッ
クは光ディスクがＣＤ系である場合のトラックを示す。
【００３０】
前記セクタ数をジャンプした地点がタイトルまたはトラックの終了地点で無ければ、ス
テップＳ１に戻る。前記セクタ数をジャンプした地点がタイトルまたはトラックの終了地
点であると判定された場合に、第１の警告画面表示手段２２６は、読み込みのエラーが続
いている事、および次遷移先でも読み込みエラーが起こる可能性が高い事、ならびに再生
／停止の選択肢などの内容を示した警告画面（図３参照）を、ビデオデコーダ１５、ビデ
オプロセッサ１７、およびビデオエンコーダ１８を介してディスプレイ装置２０に表示さ
せる（ステップＳ６）。
【００３１】
図３は本実施形態において第１の警告画面表示手段２２６によりディスプレイ装置２０
に表示された警告画面の一例を示す図である。図３に示すように、警告画面には、例えば
、光ディスク上のキズまたは汚れにより再生を失敗してタイトルＴ１が終了し、次のタイ
トルＴ２でもエラーが続いている可能性があり、続けて再生するか、停止するかと言う内
容が表示されている。
【００３２】
なお、ステップＳ１〜ステップＳ５の処理を繰り返している間は、読み込みエラーが起
きた時点でエラーが発生した旨、および飛ばしセクタ数などの内容を示す警告画面（図４
参照）が、第２の警告画面表示手段２２７によりディスプレイ装置２０に表示される。図
４は本実施形態において第２の警告画面表示手段２２７によりディスプレイ装置２０に表
示された警告画面の一例を示す図である。図４に示すように、警告画面には、例えば、光
ディスク上のキズまたは汚れにより読み込み不良が発生し、現在セクタを飛ばして読み込
みを行っており、現在の飛ばしセクタ数が１５であると言う内容が表示されている。
【００３３】
ステップＳ５でタイトル終了地点と判定され、ステップＳ６で警告画面が表示されたと
きは、例えば、図４に示すような警告画面に代わって図３に示すような警告画面がディス
プレイ装置２０に表示される。図３に示すような警告画面が表示中にＰＬＡＹキーが押さ
れた場合（ステップＳ７）には、次のタイトルに遷移し、読み込みを開始し（ステップＳ
８）、ステップＳ１の処理に戻る。ＰＬＡＹキーが押されず、ＳＴＯＰキーが押された場
合は（ステップＳ９）、本処理は終了する。
【００３４】
図５は本実施形態においてセクタのジャンプ処理を説明するためのタイトルとセクタと
の関係を示す図である。図５に示すように、光ディスクのタイトルＴ１を再生中に、読み
込みエラーｅ１が発生すると、５セクタ飛ばし、ここでも読み込みエラーｅ２が発生する
と、次は１０セクタ飛ばし、ここでも読み込みエラーｅ３が発生しているとすると、次に
２０セクタ飛ばす予定であるが、タイトルＴ１は残り１５セクタであるので、１５セクタ
飛んで終了する。このようにタイトルＴ１では、読み込みエラーが連続して発生している
ので、たぶん次のタイトルＴ２においても読み込みエラーが続いている可能性がある。
【００３５】
したがって、タイトルＴ１の終了地点で、図３に示すような警告画面がディスプレイ装
置２０に表示される。そして、もし再生を選択してタイトルＴ１に続けてタイトルＴ２を
再生した場合は、やはり１セクタ目から読み込みエラーｅ４が発生して、５セクタ飛ばし
、ここでも読み込みエラーｅ５が発生すると、１０セクタ飛ばすが、ここでも読み込みエ
ラーｅ６が発生しているとすると、その後も同様に飛ばしセクタ数を段々大きくして、セ
クタを飛ばして行く。また、図４に示すような読み込みエラー発生時の警告画面は、例え
ば、読み込みエラーｅ１，ｅ２，ｅ３，ｅ４，ｅ５，ｅ６の発生時点でディスプレイ装置
２０に表示される。
【００３６】
以上説明したように本実施形態によれば、光ディスクの読み込みでセクタ読み込みを連
続で失敗してタイトル／トラック終了地点まで来た時、次タイトル／トラックを続けて読
み込むか、停止させてしまうかをユーザに判定させることが可能になる。即ち、再生しよ
うとする当該光ディスクは傷や汚れが大きい可能性をユーザに示唆し、それでも再生を続
けるか停止させるか判定させることで、エラー処理動作を選択させることが可能になり、
ユーザにとっては使い勝手が良くなる。
【図面の簡単な説明】
【００３７】
【図１】本発明の一実施形態に係る光ディスク再生装置の構成を示すブロック図である。
【図２】前記実施形態において読み込みエラー発生時の処理を説明するためのフローチャートである。
【図３】前記実施形態において第１の警告画面表示手段によりディスプレイ装置に表示された警告画面の一例を示す図である。
【図４】前記実施形態において第２の警告画面表示手段によりディスプレイ装置に表示された警告画面の一例を示す図である。
【図５】前記実施形態においてセクタのジャンプ処理を説明するためのタイトルとセクタとの関係を示す図である。
【符号の説明】
【００３８】
１    光ディスク
２０    ディスプレイ装置
２２    システムコントローラ
２２１    第１の読み込みエラー判定手段
２２２    第２の読み込みエラー判定手段
２２３    インクリメント手段
２２４    ジャンプ手段
２２５    終了地点判定手段
２２６    第１の警告画面表示手段
２２７    第２の警告画面表示手段
【図１】
2006147095.tif 000003
【図２】
2006147095.tif 000004
【図３】
2006147095.tif 000005
【図４】
2006147095.tif 000006
【図５】
2006147095.tif 000007